(57)【特許請求の範囲】
【請求項１】
原材パネルの表面に複数条の平行な溝を形成するとともに、その溝の内側面に刻削部を設けることにより、複数の平行な突条を形成され、壁本体に取り付けられた複数の壁パネルと、
前記壁パネルの上端縁部と前記壁本体の上端縁に取り付けられた笠石と、
前記笠石と前記壁本体との間に配置されたシール材とを有する構造物であって、
前記壁パネルの端縁部には、取付金具の固定部が形成され、
前記固定部の深さは、この固定部に配置される前記取付金具の厚さと等しくなるように形成されていることを特徴とする構造物。
【請求項２】
前記壁パネルの前記突条を断面山形状にしたことを特徴とする請求項１に記載の構造物。
【請求項３】
前記原材パネルは御影石よりなることを特徴とする請求項１又は２に記載の構造物。
【請求項４】
前記壁パネルの刻削部を手作業によって形成することを特徴とする請求項１〜３のうちのいずれか一項に記載の構造物。
【請求項５】
前記笠石は、端縁が前記突条と相似形状をなし、その端縁が突条と整列されるように壁パネルの上端の位置に設置したことを特徴とする請求項１〜４のうちのいずれか一項に記載の構造物。
【発明の詳細な説明】
【技術分野】
【０００１】
この発明は、建築物における壁の表面の装飾等に用いられる壁パネルを設けた構造物に関するものである。
【背景技術】
【０００２】
従来、建築物の外壁や室内壁の装飾のひとつとして、石材のコバ積み工法が採られていた。多くの場合、このコバ積み工法では、図１３及び図１４に示すように、サイズや形状等の異なった複数種の小片状のフラット石材５１や、同じくサイズや形状等の異なった複数種の小片状のコーナ石材５２が用いられる。そして、図１５及び図１６に示すように、コンクリート等の壁本体５３の表面に接着剤またはモルタル等の貼着層５４が設けられるとともに、その貼着層５４上に石材５１，５２がコマ積み貼着されていた。
【０００３】
ところが、この従来のコバ積み工法においては、作業者が壁本体５３の表面に貼着層５４を介して、小片状の石材５１，５２を１つ１つ手作業で重ねる必要があるため、多大な労力と時間がかかって、施工コストの高騰を招く。また、このコバ積み工法には作業者の高度な技能や長い経験が必要であるため、作業者によって施工精度にバラつきが生じやすくて、施工精度の不均一により石材５１，５２の剥離等の不具合や仕上がり外観の低下等を生じるおそれがあった。
【０００４】
一方、特許文献１には、石やレンガ等を配列して構成された壁パネルが開示されている。
【先行技術文献】
【特許文献】
【０００５】
【特許文献１】特開２０００-１７０３４８号公報
【発明の概要】
【発明が解決しようとする課題】
【０００６】
ところが、特許文献１の壁パネルを用いて壁に装飾を施した場合、一定のパターンが連続するため、装飾が機械的になって、自然な雰囲気を醸し出すことができない。
この発明は、このような従来の技術に存在する問題点に着目してなされたものである。その目的は、石材のコバ積み風合いを有するとともに、高度な技能を要することなく簡単に施工することができ、しかも自然な雰囲気を醸し出すことができる壁パネルを設けた構造物を提供することにある。
【課題を解決するための手段】
【０００７】
上記の目的を達成するために、原材パネルの表面に複数条の平行な溝を形成するとともに、その溝の内側面に刻削部を設けることにより、複数の平行な突条を形成され、壁本体に取り付けられた複数の壁パネルと、前記壁パネルの上端縁部と前記壁本体の上端縁に取り付けられた笠石と、前記笠石と前記壁本体との間に配置されたシール材とを有する構造物であって、前記壁パネルの端縁部には、取付金具の固定部が形成され、前記固定部の深さは、この固定部に配置される前記取付金具の厚さと等しくなるように形成されていることを特徴としている。
【０００８】
従って、この発明の壁パネルにおいては、原材パネルの表面に形成された平行な溝と、その溝の内側面に設けられた刻削部により、あたかも複数の石材をコバ積みしたような風合いを醸すことができる。また、壁パネルを施工する際には、従来のコバ積み工法とは異なり、作業者が小片状の石材を１つ１つ手作業で貼着するという面倒な作業を行う必要がなく、コストの低減を図ることかできる。さらに、壁パネルの取付施工には作業者の高度技能や経験を必要としないため、作業者による施工精度のバラつきを抑制することができて、施工精度の不均一により壁パネルの剥離等の不具合が生じるおそれを防止することもできる。
【０００９】
前記突条は断面山形状にすることが好ましい。
前記原材パネルとして御影石を用いることが好ましい。
【００１０】
前記構造物は、端縁が前記突条と相似形状をなす笠石を、その端縁が突条と整列されるように壁パネルの上端位置に設置した構成が好ましい。
【００１１】
壁パネルは、原材パネルの表面に複数条の平行な溝を形成した後、その溝の内側面に刻削部を形成して、複数の平行な突条を設けるのがよい。
そして、刻削部を手作業によって形成することが望ましい。
【発明の効果】
【００１２】
以上のように、この発明の壁パネルによれば、石材のコバ積み風合いを有するとともに、高度な技能を要することなく簡単に施工することができるという効果を発揮する。
【図面の簡単な説明】
【００１３】
【図１】一実施形態の壁パネルを示す斜視図。
【図２】（ａ）及び（ｂ）は図１の壁パネルの製造方法を順に示す部分断面図。
【図３】図１の壁パネルを用いた目隠し用の壁の第１実施形態を示す概略斜視図。
【図４】図３の壁の一部を拡大して示す正面図。
【図５】図４の５−５線における部分拡大断面図。
【図６】図５の壁において壁パネルを係止するための取付金具を拡大して示す斜視図。
【図７】図５と異なった部分における壁の部分断面図。
【図８】図４の８−８線における部分拡大断面図。
【図９】目隠し用の壁の第２実施形態を示す部分断面図。
【図１０】図９と異なった部分における壁の部分断面図。
【図１１】変更例を示す壁パネルの断面図。
【図１２】別の変更例を示す壁パネルの断面図。
【図１３】従来の壁面装飾に用いられるフラット石材を示す斜視図。
【図１４】同じく従来の壁面装飾に用いられるコーナ石材を示す斜視図。
【図１５】図１３及び図１４の石材を用いた壁を示す部分正面図。
【図１６】図１５の１６−１６線における断面図。
【発明を実施するための形態】
【００１４】
（第１実施形態）
以下に、この発明を具体化した第１実施形態を、図１〜図８に従って説明する。本発明は、建築物，モニュメント，道路の橋脚，ダム，港湾のドッグ等の各種の構造物において実施される。
【００１５】
図１及び図２に示すように、この実施形態の壁パネル２１は、御影石よりなる横長四角平板状の原材パネル２２の表面に長さ方向に延びる複数条の平行な溝２３を形成するとともに、その溝２３の内側面に刻削部２４を形成することにより構成されている。すなわち、この壁パネル２１は以下のようにして製造される。まず、図示しない円盤状の溝切りカッタを用いて、図２（ａ）に示すように、御影石の原材パネル２２の表面に複数条の溝２３が所定間隔おきで平行に形成される。続いて、図示しない刻削工具としてののみを用いて、図２（ｂ）に示すように、原材パネル２２上の各溝２３の内側面を手作業によって刻削し、各溝２３の内側面に刻削部２４が設けられる。このようにすれば、図２の紙面と直交する方向に延びる断面ほぼ山形状の突条２７が形成される。そして、この複数条の溝２３と刻削部２４とによって形成された突条２７により、壁パネル２１の表面に対して複数の板状の自然石をコバ積みしたような風合いが醸し出される。
【００１６】
図１に示すように、前記壁パネル２１の上下端縁部及び左右端縁部には、後述する取付金具３５，４３の係止板４１を収容するための各一対の凹部２５Ａ，２５Ｂ、及び取付金具３５，４３の取付ピン４２を挿入可能な各一対のピン孔２６Ａ，２６Ｂが、必要に応じて適宜に形成されている。すなわち、図４及び図５に示すように、後述する壁３２の最上段に取り付けられる壁パネル２１Ａにおいては、その下端縁部に凹部２５Ａが形成されるとともに、その凹部２５Ａ内の位置にピン孔２６Ａが形成されている。また、この壁パネル２１Ａにおいては、その図１における右端縁部に凹部２５Ｂ及びピン孔２６Ｂが形成されるとともに、左端縁部には凹部が形成されることなくピン孔２６Ｂのみが形成されている。これに対して、壁３２の上から二段目以下に取り付けられる壁パネル２１Ｂにおいては、下端縁部に凹部２５Ａ及びピン孔２６Ａが形成されるとともに、上端縁部には凹部が形成されることなく、ピン孔２６Ａのみが形成されている。そして、壁パネル２１Ａ，２１Ｂの上端縁部及び下端縁部の凹部２５Ａ及びピン孔２６Ａは、壁パネル２１Ａが並設された状態で図４の水平方向において等間隔となる位置に形成されている。なお、凹部２５Ａ，２５Ｂの深さｄ（図１参照）は、後述の係止板４１の厚さｔ（図６参照）と等しい。前記凹部２５Ａ，２５Ｂ及びピン孔２６Ａ，２６Ｂは、後述の取付金具３５，４３を固定するための固定部を構成する。
【００１７】
次に、前記のような構成の壁パネル２１を用いた構造物について説明する。なお、この実施形態では、図３及び図４に示すように、ビル等の建築物３１の外において建築物３１の外周部に沿って配置された目隠し用の壁３２に具体化されている。
【００１８】
図５及び図７に示すように、建築物３１の近傍において、地面３３には鉄筋コンクリートよりなる壁本体３４が立設されている。壁本体３４における建築物３１と反対側の外側表面３４ａの全体、及び建築物３１側の内側表面３４ｂの両端部（全体でもよい）には、複数枚の壁パネル２１が上下左右に並設されている。すなわち、壁本体３４における建築物３１側の内側表面３４ｂにおいて、人目に付きにくい部分等には、図７に示すように、壁パネル２１の並設されていない部分が存在している。そして、図４に示すように、複数枚の壁パネル２１を横長方向に使用して水平方向へ一線状に並べることにより壁パネル列２１Ｌが鉛直方向に複数段構成されている。そして、各壁パネル列２１Ｌの各壁パネル２１が鉛直方向に隣接する他の壁パネル列２１Ｌの壁パネル２１に対して壁パネル２１の配列ピッチの半ピッチ分ずつ水平方向へずらした状態になっている。
【００１９】
図５及び図７に示すように、前記壁本体３４の外側表面３４ａ及び内側表面３４ｂにおいて、各壁パネル列２１Ｌの各壁パネル２１の下端縁部と対応する位置には、各一対の第１取付金具３５が設けられている。図６及び図８に示すように、この第１取付金具３５は、壁本体３４の外側表面３４ａまたは内側表面３４ｂに埋設されたアンカーボルト３６と、そのアンカーボルト３６の先端のネジ部３６ａに対してナット３７により取り付けられた側面形ほぼＬ字状の取付板３８と、その取付板３８上にボルト３９及びナット４０により取り付けられた係止板４１と、その係止板４１の先端の上面または下面の少なくとも一方に突設された取付ピン４２とから構成されている。
【００２０】
この場合、図５に示すように、最上段の壁パネル列２１Ｌにおける各壁パネル２１Ａの下端縁部と対応する位置に設けられた第１取付金具３５では、係止板４１の下面に取付ピン４２が突設されている。また、最下段の壁パネル列２１Ｌにおける各壁パネル２１Ｂの下端縁部と対応する位置に設けられた第１取付金具３５では、係止板４１の上面に取付ピン４２が突設されている。さらに、各壁パネル列２１Ｌにおける各壁パネル２１Ｂのその他の下端縁部と対応する位置に設けられた第１取付金具３５では、係止板４１の上面及び下面に取付ピン４２がそれぞれ突設されている。
【００２１】
図５及び図７に示すように、前記壁本体３４の外側表面３４ａ及び内側表面３４ｂにおいて、最上段の壁パネル列２１Ｌにおける各壁パネル２１Ａの右端縁部（図１及び図４おける右側）と対応する位置には、各一対の第２取付金具４３が設けられている。この第２取付金具４３は、前記第１取付金具３５とほぼ同様に、アンカーボルト３６、取付板３８、係止板４１、取付ピン４２等から構成されている。なお、この第２取付金具４３では、取付板３８及び係止板４１が前記第１取付金具３５の場合よりも幅狭となるように形成されるとともに、取付ピン４２が係止板４１の先端の両側面に突設されている。
【００２２】
図５及び図７に示すように、前記壁本体３４の上端縁の中央部には、雨水を流すための凹溝４４が壁本体３４の延長方向に沿って延びるように形成されている。最上段の壁パネル列２１Ｌにおける壁パネル２１Ａの上端縁部と壁本体３４の上端縁との間には、壁パネル２１と同材の御影石よりなる笠石４５が配設されている。この笠石４５は、先端縁が壁パネル２１の突条２７と相似形状をなしている。この笠石４５は、壁本体３４の外側表面３４ａ及び内側表面３４ｂに壁パネル２１を施工した後に、接着剤４６及びシール材４７を介して、最上段の壁パネル２１Ａ及び壁本体３４の上端縁間に取り付けられる。この状態では、笠石４５の先端縁は、前記突条２７の先端縁と整列される。笠石４５の上面には、雨水を壁本体３４上の凹溝４４に導くための傾斜面４５ａが形成されている。なお、笠石４５と上端の壁パネル２１Ａとの間には鎹４８が介在されている。この場合、鎹４８は、笠石４５及び壁パネル２１Ａに形成された溝４９内に収容されている。
【００２３】
次に、前記のように構成された壁パネル２１を壁本体３４に取り付けて、目隠し用の壁３２を形成する施工方法について説明する。
この目隠し用の壁３２の施工に際しては、設置箇所の地面３３に壁本体３４を打設する。このとき、壁本体３４の外側表面３４ａ及び内側表面３４ｂにおいて、複数の壁パネル２１の取付箇所に第１取付金具３５または第２取付金具４３のアンカーボルト３６を埋設する。そして、各アンカーボルト３６のネジ部３６ａに対して、ナット３７により取付板３８を取り付ける。この状態で、壁本体３４の外側表面３４ａ及び内側表面３４ｂに対して、図４に示す最下段の壁パネル列２１Ｌ、その上段の壁パネル列２１Ｌ、・・・・、最上段の壁パネル列２１Ｌの順で、壁パネル２１Ａ，２１Ｂを取り付ける。
【００２４】
この場合、最下段の壁パネル列２１Ｌにおける壁パネル２１Ｂの取り付け時には、その下側に配列された第１取付金具３５の各取付板３８に対して、上面に取付ピン４２を突設した係止板４１をボルト３９及びナット４０にて取り付ける。そして、各係止板４１上の取付ピン４２に、壁パネル２１Ｂの下端縁部のピン孔２６Ａを係合させる。この係合により、各壁パネル２１Ｂの下端縁部が第１取付金具３５を介して、壁本体３４の外側表面３４ａまたは内側表面３４ｂに係止保持される。このとき、図５及び図８に示すように、第１取付金具３５の係止板４１が壁パネル２１Ｂの下端縁部の凹部２５Ａ内に収容配置される。
【００２５】
次に、最下段及び最上段以外の中間の壁パネル列２１Ｌにおける壁パネル２１Ｂの取り付け時には、その下側に配列された第１取付金具３５の各取付板３８に対して、上面及び下面に取付ピン４２を突設した係止板４１をボルト３９及びナット４０にて取り付ける。この場合、取付板３８に対する係止板４１の取り付けに先立って、係止板４１の下面の取付ピン４２を、既設状態の下側壁パネル列２１Ｌにおける壁パネル２１Ｂの上端縁部のピン孔２６Ａに係合させる。この係合により、下側壁パネル列２１Ｌにおける壁パネル２１Ｂの上端縁部が第１取付金具３５を介して、壁本体３４の外側表面３４ａまたは内側表面３４ｂに係止保持される。
【００２６】
その後、前記最下段の壁パネル列２１Ｌの場合と同様に、中間の壁パネル列２１Ｌにおける壁パネル２１Ｂの下端縁部のピン孔２６Ａを、各係止板４１の上面の取付ピン４２に係合させる。この係合により、中間の壁パネル列２１Ｌにおける各壁パネル２１Ｂの下端縁部が第１取付金具３５を介して、壁本体３４の外側表面３４ａまたは内側表面３４ｂに係止保持される。この場合にも、図５及び図８に示すように、第１取付金具３５の係止板４１が壁パネル２１Ｂの下端縁部の凹部２５Ａ内に収容配置される。
【００２７】
さらに、最上段の壁パネル列２１Ｌにおける壁パネル２１Ｂの取り付け時には、その取り付けに先立って、下側に配列された第１取付金具３５の各取付板３８に対して、下面に取付ピン４２を突設した係止板４１をボルト３９及びナット４０にて取り付ける。この場合にも、前記中間の壁パネル列２１Ｌの場合と同様に、取付板３８に対する係止板４１の取り付けに先立って、係止板４１の下面の取付ピン４２を、既設状態の下側壁パネル列２１Ｌにおける壁パネル２１Ｂの上端縁部のピン孔２６Ａに係合させる。この係合により、下側壁パネル列２１Ｌにおける壁パネル２１Ｂの上端縁部が第１取付金具３５を介して、壁本体３４の外側表面３４ａまたは内側表面３４ｂに係止保持される。
【００２８】
続いて、最上段の壁パネル列２１Ｌにおいては、図４に示す壁本体３４の右側から左側に向かって壁パネル２１Ａを１枚ずつ順に取り付ける。すなわち、各壁パネル２１Ａの取り付け時には、その右側（図１の右側）に配置された一対の第２取付金具４３の取付板３８に対して、左右両側面に取付ピン４２を突設した係止板４１をボルト３９及びナット４０にて取り付ける。この場合、取付板３８に対する係止板４１の取り付けに先立って、係止板４１の右側面の取付ピン４２を、既設状態の右側壁パネル２１Ａの左端縁部のピン孔２６Ｂに係合させる。これにより、右側壁パネル２１Ａの左端縁部が第２取付金具４３を介して、壁本体３４の外側表面３４ａまたは内側表面３４ｂに係止保持される。
【００２９】
その後、新たに取り付ける壁パネル２１Ａの右端縁部のピン孔２６Ｂを、各係止板４１の左側面の取付ピン４２に係合させる。これにより、壁パネル２１Ｂの右端縁部が第２取付金具４３を介して、壁本体３４の外側表面３４ａまたは内側表面３４ｂに係止保持される。この場合、図５に示すように、第２取付金具４３の係止板４１が壁パネル２１Ａの右端縁部の凹部２５Ｂ内に収容配置される。
【００３０】
このように、壁本体３４の外側表面３４ａ及び内側表面３４ｂに壁パネル２１を取り付けた後、最上段の壁パネル２１Ａ及び壁本体３４の上端縁間に、接着剤４６及びシール材４７を介して笠石４５を取り付けるとともに、壁パネル２１との間に鎹４８を介在させることにより、目隠し用の壁３２の施工が完了する。
【００３１】
従って、この実施形態によれば、以下のような効果を得ることができる。
（１）  この壁パネルにおいては、原材パネル２２の表面に形成された平行な溝２３と、その溝２３の内側面に設けられた手作業による刻削部２４により、あたかも自然石をコバ積みしたような風合いとともに、水平方向に平行に延びる複数の突条２７により規則的な統制のとれた美観を醸すことができる。しかも、刻削部２４が手作業によって形成されているため、機械的ではない自然な風合いを併せて演出でき、独特な外観を与えることができる。
【００３２】
（２）  この壁パネルにおいては、壁パネル２１を壁面に取付施工する際には、従来のコバ積み工法とは異なり、作業者が小片状の石材を１つ１つ手作業で貼着するという面倒な作業を行う必要がない。よって、壁パネル２１を壁面に対して短時間で簡単に取り付けることができて、施工コストの低減を図ることかできる。
【００３３】
（３）  この壁パネルにおいては、壁パネル２１の取付施工に作業者の高度技能や長い経験を必要としないため、作業者によって施工精度にバラつきが生じることを抑制することができる。従って、施工精度の不均一により、壁パネル２１の剥離等の不具合が生じるおそれを防止することもできる。
【００３４】
（４）  この壁パネルにおいては、前記原材パネル２２が御影石により構成されている。よって、壁パネル２１に対して石材のコバ積み風合いを効果的に醸し出させることができる。
【００３５】
（５）  この壁パネルにおいては、その端縁部に、取付用の取付金具３５，４３の取付ピン４２に係合可能なピン孔２６Ａ，２６Ｂが形成されている。このため、壁パネル２１を壁面に取付施工する際には、壁面に設けられた取付金具３５，４３の取付ピン４２に壁パネル２１のピン孔２６Ａ，２６Ｂを係合させるという簡単な作業により、壁パネル２１を壁面に対して簡単かつ堅固に取り付けることができる。
【００３６】
（６）  この壁パネルにおいては、溝２３や突条２７の形成において、バーナの熱を用いないため、御影石の材質の劣化を防止できる。従って、耐久性に優れた壁パネルとすることができる。
【００３７】
（第２実施形態）
次に、この発明を具体化した壁パネル及び壁の第２実施形態を、前記第１実施形態と異なる部分を中心に説明する。
【００３８】
さて、この第２実施形態においては、図９及び図１０に示すように、壁本体３４の上端縁が凹溝４４を設けることなく平面状に形成されている。そして、壁本体３４の外側表面３４ａ及び内側表面３４ｂに取り付けられた壁パネル２１の上端部を覆うように、壁本体３４の上端縁にその上端縁全体を覆う１枚の平板状の笠石４５が接着剤４６を介して固定されている。
【００３９】
この場合、図９に示すように、壁本体３４の外側表面３４ａ及び内側表面３４ｂに壁パネル２１が取り付けられている箇所においては、笠石４５の上面が水平面状に形成されて、雨水が壁本体３４の両側に流れるようになっている。これに対して、図１０に示すように、壁本体３４の外側表面３４ａのみに壁パネル２１が取り付けられている箇所においては、笠石４５の上面に図１０の右下がりの傾斜面４５ａが形成されて、雨水が壁本体３４の内側に流れるようになっている。
【００４０】
従って、この第２実施形態においても、前記第１実施形態における（１）〜（６）に記載の効果とほぼ同様な効果を得ることができる。
（変更例）
なお、この実施形態は、次のように変更して具体化することも可能である。
【００４１】
・  壁パネル２１の溝２３及び突条２７が鉛直方向に延びるように壁パネル２１を縦長方向に設置すること。
・  前記実施形態では、本発明が目隠し用の壁３２に壁パネル２１を取り付ける構成に具体化されているが、壁パネル２１を例えば建築物の外壁や室内壁、柱等の躯体に取付けたり、あるいはモニュメント等の他の構造物の本体に取付けたりしてもよい。
【００４２】
・  壁パネル２１として、大谷石，大理石等、御影石以外の材質のものを用いること。
・  笠石４５に変えて、同部に金属板を設けること。この場合、金属板を屋根形状にすることが好ましい。
【００４３】
・  図１１に示すように、突条２７の頂面を刻設することなく、平坦に形成するとともに、突条２７がほぼほぼ四角形をなすようにすること。あるいは、図１２に示すように、突条２７がほぼ台形をなすようにすること。
【符号の説明】
【００４４】
２１，２１Ａ，２１Ｂ…壁パネル、２２…原材パネル、２３…溝、２４…刻削部、２６Ａ，２６Ｂ…ピン孔、２７…突条、３２…壁、３４…壁本体、３５…第１取付金具、３８…取付板、４１…係止板、４２…取付ピン、４３…第２取付金具、４５…笠石。
【図１】
0005664026.tif 000002
【図２】
0005664026.tif 000003
【図３】
0005664026.tif 000004
【図４】
0005664026.tif 000005
【図５】
0005664026.tif 000006
【図６】
0005664026.tif 000007
【図７】
0005664026.tif 000008
【図８】
0005664026.tif 000009
【図９】
0005664026.tif 000010
【図１０】
0005664026.tif 000011
【図１１】
0005664026.tif 000012
【図１２】
0005664026.tif 000013
【図１３】
0005664026.tif 000014
【図１４】
0005664026.tif 000015
【図１５】
0005664026.tif 000016
【図１６】
0005664026.tif 000017